(57)【要約】      （修正有）【課題】サービス付き高齢者向け住宅における訪問介護、訪問看護及び訪問医療事業において介護事業所の現状キャパシティを確認可能な介護事業所介護スケジュール管理システムを提供する。【解決手段】居宅介護支援事業所（ケアマネ）が作成した月間サービス提供表の日別時間別予定情報に基づいて、曜日別に形成され、２４時間を単位サービス時間毎のマス目で縦方向に区分し、かつ単位時間毎の必要なスタッフ数だけ複数列横並びに並べてなるスケジュール表であって、全介護利用者のサービス利用時間予定を縦列マス目に順に組み込み、重複する時は重ならないように左列から右列に順に横にずらせて横列させ、横列に単位時間毎の必要スタッフ数を、縦列にスタッフの必要従事時間を示す曜日別全介護利用者介護スケジュール情報を提供する。【選択図】図５Ａ
0003190769.tif 000002
【実用新案登録請求の範囲】
【請求項１】
パーソナルコンピュータの画面又は紙面に表示可能な曜日別全介護利用者介護スケジュール一覧データを表示するシステムであって、
ケアマネの作成する月間サービス提供票Ｄに基づく月間情報を入力信号として入力する手段１０と、該入力信号を曜日別に２４時間一覧表として作成するために、各曜日別に前日または後日を考慮して又は考慮せず２４時間を介護サービス単位時間３０分の縦列マス目で区分し、これを複数横列して並べて単位時間マス目区分表となし、曜日別に左端縦列マス目から各単位時間を１区分として予定される単位介護と利用者名を順次入力し、各単位時間の左側縦列マス目が詰まると順次右側縦列マス目に移動して予定される単位介護と利用者名を重ならないように記入して曜日別に全介護サービスを単位時間マス目区分表を詰め込み、上記入力信号を管理する、介護スケジュールデータ管理プログラム２０と、該管理プログラムによって表示可能で、上記月間サービス提供票Ｄに基づく月間情報を曜日別に全介護利用者の全予定介護を表示し、介護事業所の曜日別各単位時間での介護可能キャパシティを出力信号とするスケジュール表示手段４０とを備えることを特徴とする介護事業所介護スケジュール管理システム。
【請求項２】
コンピュータへの入力データがケアマネの作成する月間サービス提供票Ｄに基づく月間介護サービス情報であって、介護利用者名、介護サービス名及びコードを各単位サービス時間毎に、曜日別に、各週毎に入力する請求項１記載のシステム。
【請求項３】
スケジュール表示手段４０が、週間の、介護事業所の各曜日毎の２４時間中の介護可能時間及び各単位時間での介護可能数を画面又は紙面に出力する請求項１記載のシステム。
【請求項４】
スケジュール表示手段４０が、各曜日毎の、介護事業所の２４時間中の介護可能時間及び各単位時間での介護可能数を画面又は紙面に出力する請求項１記載のシステム。
【考案の詳細な説明】
【技術分野】
【０００１】
本考案は、例えば介護サービスを提供する訪問介護事業、特にサービス付き高齢者向け住宅において、介護事業所処理能力に見合った介護計画を作成でき、複数の介護事業所から送られる介護スタッフと介護利用者のスケジュールのマッチング管理・運用を行うための介護事業所介護スケジュール管理システムに関する。
【背景技術】
【０００２】
介護保険制度の導入により、介護利用者（要介護者）にとって、介護サービスを利用し易い環境が整いつつある。すなわち、介護保険制度とは、国民が介護保険料を支払うことで、介護が必要になったときに高齢者が1割の自己負担で介護サービスを受けられるようにする制度で、親や兄弟、自分や配偶者が高齢で寝たきりや認知症になったら、介護が必要になるが、つい最近まで、日本では介護の役割を家族が担ってきた。しかしながら、平均寿命が伸び、核家族化が進む中で、家族だけでは支えられなくなったため、２０００年に開始されたのが介護保険で、介護保険制度の誕生により、介護状態の高齢者を社会全体で支えられる仕組みが誕生した。  ここで、介護施設には公的に運営される特別養護老人ホーム（別称：特養、介護老人福祉施設）と、民間が運営する介護施設（別称：サ高住、サービス付き高齢者向け住宅）とがあり、前者は、社会福祉法人や地方自治体などにより運営される公的な介護施設で、主に、重度の要介護者が暮らしている。ここでは、食事や排泄の介助などの介護サービスを中心に提供し、寝たきり状態など常時介護を必要とする要介護者の「生活の場」であり、様々な身体の介護や生活の援助とともに、各種レクリエーションなども提供している。他方、後者のサービス付き高齢者向け住宅（別称：サ高住）とは、民間事業者などによって運営され、都道府県単位で認可・登録された賃貸住宅であり、主に自立あるいは軽度の要介護状態の高齢者を受け入れている。
【０００３】
他方、サービス付き高齢者向け住宅の特徴は、一般的な賃貸住宅よりも高齢者が住みやすく、借りやすいことで、また利用権方式ではなく賃貸借方式の施設が多いので、入居時に支払う敷金・礼金の返還を受けやすいなどの点で、入居者の権利が守られ、入居者にとっては、他の介護施設と比較して選択肢が豊富なサービス付き高齢者向け住宅を選ぶことで、住み慣れた地域に住み続けやすくなるというメリットもあり、急激に増えつつある。そして、多くの公的養護施設と違って３０分を単位時間として介護サービスを受けられるというシステムを採用し、以下のようにケアマネージャーの作成する介護スケジュールに沿って介護スタッフと介護利用者の１対１の介護サービスが受けられるように運用されることを最大のメリットとしている。
【０００４】
すなわち、現状のサ高住介護システムでは、図１に示すように、サービス付き高齢者向け住宅を提供する家主の下に、介護利用者（サ高住入居者）１と、訪問介護サービスを提供する訪問介護事業所（以下、介護事業所と呼ぶ）と、介護サービスを管理する居宅介護支援事業所（以下ケアマネという）２とが国保連１０の管理の下に連携して各種介護サービスがサ高住に入居した利用者１に提供され、運営されるようになっている。そのため、介護利用者（サ高住入居者）１は入居申込書ＡとアセスメントシートＢを記載し、要介護の認定を受けると、先ず、居宅介護支援事業所２に属するケアマネはサービス担当者会議を開催し、相談の下、介護計画（ケアプラン）Ｃ、Ｄを作成し、その際、複数の選択肢の中から介護事業所を選択し、予定（計画書）３を作成する際に各介護単位時間毎に介護事業所を決定して介護事業所に通知し、ケアプランＣ、Ｄに基づいた介護を介護事業所から受けることになる。したがって、介護事業所はケアマネから送られる居宅サービス計画書（１）（２）、週間サービス計画書Ｃと月間サービス提供表とサービス提供別表Ｄの基に介護計画書Ｇを作成する必要があるが、介護事業所が自らの介護サービスを実施するキャパシティを把握した上でのケアマネに対する連絡により月間サービス提供票が作成されていない場合が多く、介護事業所はケアマネの作成した通りの介護サービスを行おうとするとかなり余剰の介護スタッフを用意する必要があったり、ケアマネの作成したサービス提供通り介護サービスが適用できないというミスマッチが生ずる。
【０００５】
なぜなら、従来、その管理方法の多くは、管理担当者が紙やボードの管理計画表に介護スタッフのスケジュールを手書きで書き込み管理していたが、介護スタッフや介護利用者の数が増えると、介護スタッフの割当て作業を含めたスケジュール管理が煩雑となっていたためであり、管理担当者の作業を支援する効率的な管理方法が望まれていた。そこで、介護スタッフのスケジュールを効率的に決定し、ＰＣ（パーソナルコンピュータ）上のデータとして管理することのできる支援ツール、支援方法が数多く提供され、また、文献開示されている。なお、コンピュータ上で動作する支援ツール上で介護スタッフの勤務可能時間帯と介護利用者の利用希望時間帯とのマッチングを行い、介護利用者が希望する時間帯に派遣可能な介護スタッフの候補を自動的に選択抽出することのできるスケジュール管理方法については特許文献１、２に提案されており、このような支援ツールを使用することにより、介護利用者の希望する時間帯に対する介護スタッフの割当てを格段に向上させることができる。
【先行技術文献】
【特許文献】
【０００６】
【特許文献１】特開２００２−２４４９３号
【特許文献２】特開２００６−１３３８３０号
【考案の開示】
【考案が解決しようとする課題】
【０００７】
しかしながら、従来の支援ツールにおけるコンピュータ画面上に表示されるスケジュール表は、サービス提供時間、介護利用者名、割当てられた介護スタッフ名、介護サービス内容等、予め決められた事項を単純に表示するだけのものであって、現状の介護事業所のキャパシティが把握できていないため、例えば、介護利用者から、あるスケジュールについて急な変更の問い合わせがあった場合、支援ツール上で、そのスケジュール内容を取り敢えず確認することはできるが、そのスケジュール変更に係るスタッフのシフト変換についてすぐに把握することができず、迅速に対応することができなかった。すなわち、従来の支援ツールにあっては、介護利用者のサービス利用希望時間帯に介護スタッフを効率的に割当てることはできたが、現状の介護事業所の確認が容易ではないために、システム運用時における突発的な事象に対して迅速、かつ柔軟に対応できないという課題があり、このような事情の下で、本考案は訪問介護事業において、介護事業所の介護スタッフや介護利用者にかかるスケジュール及び状況を一目瞭然に確認することができ、突発的事象に対し、迅速かつ柔軟に対応することができるスケジュール管理方法を提供することを目的とする。
【課題を解決するための手段】
【０００８】
訪問介護の管理において最も重要なことは第１に、ケアマネの作成したサービス提供票の月間介護スケジュールに基づいて介護が行わなければならないことである。なぜなら、その計画書の結果に基づいて国保連への給付管理Ｋが行われ、費用請求９が行われるからである。そして第２に全介護利用者の訪問介護が介護事業所のどのようなキャパシティ（スタッフ数とスタッフシフト状態）の中で運用されているか、そしてその介護事業所のキャパシティの中で各スタッフの毎日のサービススケジュールがどのように決定されているかを管理しなければならないことにある。なぜなら、過小な人員は介護事業所の破綻を招き、過剰な人員の確保は訪問介護事業の運営持続を困難なものとする。また、介護サービスのミスマッチは介護事業所の成績そのものに甚大な影響を与える。そこで、本考案者はサ高住管理システムを図式化すると図１のようになる結果、ケアマネから送付される全介護利用者の月間サービス提供票Ｄ1から得られる情報を単位時間のマス目で区切られた縦列を横並びに複数横列して区分配列すると、そのマス目の分布は現状スタッフでの介護可能なキャパシティを示し、介護事業所のキャパシティを把握することができることに着目してなされたもので、ケアマネからの介護指令に能率的に対応することができるようにして課題を解決するに至った。
【０００９】
本考案はパーソナルコンピュータの画面又は紙面に表示可能な曜日別全介護利用者介護スケジュール一覧データを表示するシステムであって（図２）、
ケアマネの作成する月間サービス提供票Ｄ1に基づく月間情報を入力信号として入力する手段１０と、該入力信号を曜日別に２４時間一覧表として作成するために、各曜日別に前日または後日を考慮して又は考慮せず２４時間を介護サービス単位時間３０分の縦列マス目で区分し、これを複数横列して並べて単位時間マス目区分表となし、曜日別に左端縦列マス目から各単位時間を１区分として予定される単位介護と利用者名を順次入力し、各単位時間の左側縦列マス目が詰まると順次右側縦列マス目に移動して予定される単位介護と利用者名を重ならないように記入して曜日別に全介護サービスを単位時間マス目区分表を詰め込み、上記入力信号を管理する、介護スケジュールデータ管理プログラム２０と、該管理プログラムによって表示可能で、上記月間サービス提供票Ｄに基づく月間情報を曜日別に全介護利用者の全予定介護を表示し、介護事業所の曜日別各単位時間での介護可能キャパシティを出力信号とするスケジュール表示手段４０とを備えることを特徴とする。
【考案の効果】
【００１０】
本考案によれば、横列はその時間での単位時間当たりの必要スタッフ数を示す一方、縦列はスタッフが従事すべき時間帯を表示することができ、日別で一目で現状の介護事業所のキャパシティを把握することができる（図５び及図６）。また、各曜日別の２４時間中の介護可能時間及び各単位時間での介護可能数を週間で画面又は紙面に出力することができるので、週間別で介護事業所のキャパシティを把握することができる（図７）。したがって、ケアマネは本考案の曜日別介護管理スケジュール，週間別介護管理スケジュール表を見ることができ、介護事業所の今後利用可能なスケジュール（キャパシティ）を察知して介護管理計画を立てることができ、ケアマネとのサービス会議の重要な情報を提供できる。他方、介護事業所は曜日別介護管理スケジュール表を見て、ケアマネが介護事業所に送る介護計画書に基づいて必要な介護スタッフ数及び介護スタッフの必要なシフトを考えることができ、ミスマッチのない、効率的な介護管理スケジュールを作成できる。
【００１１】
また、コンピュータへの入力データ（図４）がケアマネの作成する月間サービス提供票Ｄ１（図３）に基づく月間介護サービス情報であるので、月間サービス提供票の実績確認Ｄ２（図３）が容易で、図１の勤怠管理により自動的管理を可能となる。
【図面の簡単な説明】
【００１２】
【図１】本考案の介護スケジュール管理システムの全体を示すフロー図である。
【図２】本考案の介護スケジュール管理システムの全体を示す概要図である。
【図３Ａ】ケアマネが作成して介護事業所に送る月間サービス提供票Ｄ１を示す。
【図３Ｂ】（B）は介護事業所では予定された介護サービスを行ったか否かをチェックして月間サービス提供票Ｄ２を示す。
【図４】図３（A）の月間サービス提供票Ｄ１に基づく入力画面を示す。
【図５Ａ】曜日別全介護利用者の受ける全サービスをO時から２４時に至る単位時間毎に書き出した月曜日の介護スケジュール一覧を示し、（A）〜（G）は日曜日〜土曜日までの曜日別である。
【図５Ｂ】曜日別全介護利用者の受ける全サービスをO時から２４時に至る単位時間毎に書き出した火曜日の介護スケジュール一覧を示す。
【図５Ｃ】曜日別全介護利用者の受ける全サービスをO時から２４時に至る単位時間毎に書き出した水曜日の介護スケジュール一覧を示す。
【図５Ｄ】曜日別全介護利用者の受ける全サービスをO時から２４時に至る単位時間毎に書き出した木曜日の介護スケジュール一覧を示す。
【図５Ｅ】曜日別全介護利用者の受ける全サービスをO時から２４時に至る単位時間毎に書き出した金曜日の介護スケジュール一覧を示す。
【図５Ｆ】曜日別全介護利用者の受ける全サービスをO時から２４時に至る単位時間毎に書き出した土曜日の介護スケジュール一覧を示す。
【図５Ｇ】曜日別全介護利用者の受ける全サービスをO時から２４時に至る単位時間毎に書き出した日曜日の介護スケジュール一覧を示す。
【図６Ａ】曜日別全介護利用者の受ける全サービスを当日７時から翌日７時に至る単位時間毎に書き出した月曜日の介護スケジュール一覧を示す。
【図６Ｂ】曜日別全介護利用者の受ける全サービスを当日７時から翌日７時に至る単位時間毎に書き出した火曜日の介護スケジュール一覧を示す。
【図６Ｃ】曜日別全介護利用者の受ける全サービスを当日７時から翌日７時に至る単位時間毎に書き出した水曜日の介護スケジュール一覧を示す。
【図６Ｄ】曜日別全介護利用者の受ける全サービスを当日７時から翌日７時に至る単位時間毎に書き出した木曜日の介護スケジュール一覧を示す。
【図６Ｅ】曜日別全介護利用者の受ける全サービスを当日７時から翌日７時に至る単位時間毎に書き出した金曜日の介護スケジュール一覧を示す。
【図６Ｆ】曜日別全介護利用者の受ける全サービスを当日７時から翌日７時に至る単位時間毎に書き出した土曜日の介護スケジュール一覧を示す。
【図６Ｇ】曜日別全介護利用者の受ける全サービスを当日７時から翌日７時に至る単位時間毎に書き出した日曜日の介護スケジュール一覧を示す。
【図７】介護事業所の日曜日から土曜日に至る週間の各単位時間の介護サービス空きを色分けで示すコンピュータ画面である。
【図８Ａ】曜日別全介護利用者の全介護スケジュール（H）情報から得られるスタッフ別スケジュール（I）情報のコンピュータ画面又は紙面に打ち出されるデータを示す。
【図８Ｂ】曜日別全介護利用者の全介護スケジュール（H）情報から得られるスタッフ別スケジュール（I）情報のコンピュータ画面又は紙面に打ち出されるデータを示す。
【図８Ｃ】曜日別全介護利用者の全介護スケジュール（H）情報から得られるスタッフ別スケジュール（I）情報のコンピュータ画面又は紙面に打ち出されるデータを示す。
【図８Ｄ】曜日別全介護利用者の全介護スケジュール（H）情報から得られるスタッフ別スケジュール（I）情報のコンピュータ画面又は紙面に打ち出されるデータを示す。
【図８Ｅ】曜日別全介護利用者の全介護スケジュール（H）情報から得られるスタッフ別スケジュール（I）情報のコンピュータ画面又は紙面に打ち出されるデータを示す。
【図８Ｆ】曜日別全介護利用者の全介護スケジュール（H）情報から得られるスタッフ別スケジュール（I）情報のコンピュータ画面又は紙面に打ち出されるデータを示す。
【図８Ｇ】曜日別全介護利用者の全介護スケジュール（H）情報から得られるスタッフ別スケジュール（I）情報のコンピュータ画面又は紙面に打ち出されるデータを示す。
【図９】良く使われるサービス時間一覧を示す表である。
【考案を実施するための形態】
【００１３】
図１はサ高住管理システムの運用の流れを示し、サービス付き高齢者向け住宅（以下サ高住という）に入居される入居者１は入居申込書Aを入力し、アセスメントシートBを作成する。その後、居宅介護支援事業所２は介護事業所とサービス担当者会議を開催し、ケアマネージャー（以下ケアマネという）は居宅サービス計画書Ｃと図３（A）のサービス提供票Ｄ１を作成し、介護事業所に送る（２→３）。介護事業所はサービス計画書Ｃとサービス提供票D1とに基づき、介護計画書Gを作成する。他方、介護事業所は雇用契約に基づき職員情報４を有しており、これに基づき、月別勤務表Fを作成する（４→５）。
【００１４】
ここで、居宅介護支援事業所２から毎月上記サービス提供票Ｄ１が送られるので、このサービス提供票Ｄ１に基づき、日曜日から土曜日までの１週間の曜日別全スタッフ介護サービススケジュール表図５（A)〜（G）を作成する。本考案によれば、図２における入力手段１０で、図４に示すように、介護利用者名、介護事業所（部署コード名）を入力し、上記サービス提供票Ｄ１に基づいてサービス及び利用時間を入力すると、図５及び図６に示す曜日別全介護サービス分布表が作成される。図５では午前０時から２４時までの時間帯を３０分毎のマス目で区分したものであるが、図６では午前７時から翌日７時までの時間帯を３０分毎のマス目で区分したものである。通常夜勤勤務者を含め、種々の勤務体系が組まれる。
【００１５】
詳しくは、図４はサービス提供票Ｄ１に基づき入力される画面で、介護利用者名、介護事業所である部署コードを入力するとともに、介護開始時間、終了時間、提供時間、提供サービスコードを入力して、サービス名称でサービスを確認し、日曜日から土曜日までの利用が必要か否かをチェックし、同時に第１週から第何周まで必要かをチェックするようになっている。この介護利用者は５：２０から２０分間身体介護０のサービスを第１週から第６週目で受ける。次いで日曜日に１０：００から生活援助３のショッピングサービスを１週に1回受ける。そして、月曜日の１４：３０から１時間３０分、木曜日の１４：００から１時間３０分の身体２生活１の介護サービスを受け、火曜日の１５：３０から３０分間の身体１の介護サービスを受ける。したがって、サービス提供票Ｄ１に基づき入力される。
【００１６】
かかる入力信号を集計すると、曜日別には図５又は図６のスケジュール管理表が作成され、週間別には図７のスケジュール管理表が作成される。詳しくは、ケアマネの作成する月間サービス提供票Ｄ１に基づく月間情報を入力信号として入力する手段１０は、介護利用者名、介護事業所である部署コードとともに、介護サービスコードと提供単位時間を入力すると、入力介護スケジュールデータ管理プログラム２０により曜日別には図５又は図６のスケジュール管理表が、週間別には図７のスケジュール管理表が作成される。すなわち、入力信号である各介護利用者の介護サービスを利用予定時間毎に配分するために、曜日別に単位時間ごとのマス目２４時間一覧表として表示する。各曜日別に前日または後日を考慮して（図６）又は考慮せず(図５)に、２４時間を介護サービス単位時間３０分の縦列マス目で区分し、これを複数横列して並べて単位時間マス目区分表となす。入力信号を曜日別に左端縦列マス目から各単位時間を１区分として予定される単位介護と利用者名を順次入力し、各単位時間の左側縦列マス目が詰まると順次から右側縦列マス目に移動して予定される単位介護と利用者名を重ならないように記入して曜日別に全介護サービスを単位時間マス目区分表を詰め込み、上記入力信号を配分する。これにより、上記月間サービス提供票Ｄ１に基づく月間情報は曜日別に全介護利用者の全予定介護を表示し、介護事業所の曜日別各単位時間での介護可能キャパシティを出力信号とし、スケジュール表示手段４０で表示する。
【００１７】
図５は午前０時から２４時までの時間帯を３０分毎のマス目で区分したもので、翌日に渡るスケジュールがわかりにくいので、図６では午前７時から翌日７時までの時間帯を３０分毎のマス目で区分し、夜勤者の勤務状態をわかりやすくするものである。
図５Ａの介護事業所のスケジュールを見ると、０：１０からの身体0の介護を必要とする者１名と、５：００からの身体0の介護を必要とする者、５：２０からの身体の介護を必要とする者の３件の介護サービスが用意されているが、時間差があるため、介護スタッフ１名で対応することができることを示している。８：００からは４名が身体１の介護サービスが提供されるが、出勤者が３名であるため、デイサービスから１名の補助を受けることを表示している。したがって、横列は介護サービスの提供可能な件数が表示され、介護スタッフが用意される。８：００から１８：００は昼間勤務のため多くの介護スタッフが用意でき、この介護可能枠として横枠が6列用意されていることがわかる。
【００１８】
左端の縦列は上から下まで２４時間に渡り、介護サービスがあるので、夜勤者を含め、24時間で２ないし３名の介護スタッフを必要とすることを意味している。したがって、８：００出勤、１８時退勤のスケジュールを中心に考えると、図６では午前７時から翌日７時までの時間帯を３０分毎のマス目で区分し、深夜をまたぐので、夜勤者の勤務状態をわかりやすくする。
【００１９】
したがって、上記図５及び図６は曜日別の介護事業所のキャパシティを示すものであるが、これを週間ごとに示すと図７の如くである。介護サービス空きスペースを単位時間毎に色分けで示すと、ケアマネの介護スケジュールの調整を容易にする。すなわち、交差斜線は空きなし、斜線は１人空き、斜線なしは２人空きを示すとすると、何曜日の何時に空きがあることがわかる。
【００２０】
通常、介護サービスは１日２時間程度であって、３０分単位であり、前後２時間以内に介護のサービスが行われれば良いことが多いので、常に１人のスペースを予備に開けておいて５人枠であれば、１介護スタッフで２時間以内で３０分の介護サービスを４回行えるので、５人の介護スタッフでは２時間以内で４×５の２０サービスを行える。よって、標準介護利用者ではほぼ２０人の介護利用者に５人の介護スタッフで対応できる。しかしながら、介護度によっては１日で８回の介護サービスを、身体０から身体４、生活１から４と各種の介護サービスを受けるので、目視で空きスペースを見なければ適正な介護サービスを提供できないということになる。したがって、介護利用者に適切な介護予定を組むためにはケアマネにとっては、図７の週間介護スケジュールの空きスペースを示す画面が必要となる。
【００２１】
介護事業所における毎日の介護でミスマッチが起こらないように、上記月図５又は６の確認されたデータ（H）と別勤務票（Ｆ）とから全スタッフ日別サービススケジュール（I）を作成する必要がある。全スタッフ日別サービススケジュール表（I）には図８に示すように、スタッフ毎にサービス単位時間のマス目が縦列に並ぶ。このマス目に曜日別全スタッフ介護サービススケジュール表図５又は図６のA〜Gからその日に相当する曜日別を選び、予定時間の単位サービスを順に移行して全スタッフのマス目に振り分けることにより全スタッフ日別サービススケジュール表I（図８）が完成する。２月２日は日曜日であるので、図５又は図６Aの日曜日の全スタッフ介護サービススケジュール表からの単位サービスを各スタッフ毎の単位サービススケジュール表のマス目に順に移行して日曜日の全スタッフスケジュールが完成する。これを各スタッフに分別して各人に配布する。２月３日は月曜日のＢから、２月４日は火曜日のＣから、２月５日は水曜日のＤから、２月６日は木曜日のＥから、２月７日は金曜日のＦから、２月８日は土曜日のＧから、単位サービスを抜き出してマス目を埋めることにより完成する。
【００２２】
上記勤務表５とタイムレコーダーによる勤怠管理６とにより７の給与計算Jが行われる。一方、勤務表５と勤怠管理６とを照らし合わせ、実績の有無を集計して（５、６→８）、サービス提供票の実績が記入され、居宅介護支援事業所に対する実績票Ｄ2が作成される（８→２）。そして、居宅介護支援事業所から給付管理表Ｋが国保連１０に送付されるとともに介護事業所に居宅介護支援介護給付日明細書Ｌが送付される一方、介護事業所から実績Mに基づき請求業務９がホストサーバを介して国保連１０に行われることになる。国保連は居宅介護支援事業所から給付管理表Ｋと介護事業所の請求とを照らし合わせ、介護事業所に請求結果１１を知らせることになる。
【００２３】
このような介護管理から請求業務に至る一連の業務がケアマネの作成したサービス提供票に基づくサービスが予定通り行われてその実績に基づいて評価されるが、本考案においてはケアマネの作成したサービス提供票に基づいて曜日別全介護サービススケジュールが一覧できるように作成されるので、介護事業所の処理能力に応じて介護サービスの予定が組まれ、そして全介護サービススケジュールに基づいて日別全スタッフのスケジュールが組まれるので、介護管理のミスマッチが起こりえず、介護事業所の処理能力に応じた効率の良い介護管理が行えることになる。
【符号の説明】
【００２４】
１０  ３０  信号入力手段
２０  管理プログラム
４０  表示手段
【図１】
0003190769.tif 000003
【図２】
0003190769.tif 000004
【図３Ａ】
0003190769.tif 000005
【図３Ｂ】
0003190769.tif 000006
【図４】
0003190769.tif 000007
【図５Ａ】
0003190769.tif 000008
【図５Ｂ】
0003190769.tif 000009
【図５Ｃ】
0003190769.tif 000010
【図５Ｄ】
0003190769.tif 000011
【図５Ｅ】
0003190769.tif 000012
【図５Ｆ】
0003190769.tif 000013
【図５Ｇ】
0003190769.tif 000014
【図６Ａ】
0003190769.tif 000015
【図６Ｂ】
0003190769.tif 000016
【図６Ｃ】
0003190769.tif 000017
【図６Ｄ】
0003190769.tif 000018
【図６Ｅ】
0003190769.tif 000019
【図６Ｆ】
0003190769.tif 000020
【図６Ｇ】
0003190769.tif 000021
【図７】
0003190769.tif 000022
【図８Ａ】
0003190769.tif 000023
【図８Ｂ】
0003190769.tif 000024
【図８Ｃ】
0003190769.tif 000025
【図８Ｄ】
0003190769.tif 000026
【図８Ｅ】
0003190769.tif 000027
【図８Ｆ】
0003190769.tif 000028
【図８Ｇ】
0003190769.tif 000029
【図９】
0003190769.tif 000030
【手続補正書】
【提出日】平成26年4月3日(2014.4.3)
【手続補正１】
【補正対象書類名】実用新案登録請求の範囲
【補正対象項目名】全文
【補正方法】変更
【補正の内容】
【実用新案登録請求の範囲】
【請求項１】
パーソナルコンピュータの画面又は紙面に表示可能な曜日別全介護利用者介護スケジュール一覧データを表示するシステムであって、
ケアマネの作成する月間サービス提供票Ｄに基づく月間情報を入力信号として入力する手段１０と、該入力信号を曜日別に２４時間一覧表として作成するために、各曜日別に前日または後日を考慮して又は考慮せず２４時間を介護サービス単位時間の縦列マス目で区分し、これを複数横列して並べて単位時間マス目区分表となし、曜日別に左端縦列マス目から各単位時間を１区分として予定される単位介護と利用者名を順次入力し、各単位時間の左側縦列マス目が詰まると順次右側縦列マス目に移動して予定される単位介護と利用者名を重ならないように記入して曜日別に全介護サービスを単位時間マス目区分表を詰め込み、上記入力信号を管理する、介護スケジュールデータ管理プログラム２０と、該管理プログラムによって表示可能で、上記月間サービス提供票Ｄに基づく月間情報を曜日別に全介護利用者の全予定介護を表示し、介護事業所の曜日別各単位時間での介護可能キャパシティを出力信号とするスケジュール表示手段４０とを備えることを特徴とする介護事業所介護スケジュール管理システム。
【請求項２】
コンピュータへの入力データがケアマネの作成する月間サービス提供票Ｄに基づく月間介護サービス情報であって、介護利用者名、介護サービス名及びコードを各単位サービス時間毎に、曜日別に、各週毎に入力する請求項１記載のシステム。
【請求項３】
スケジュール表示手段４０が、週間の、介護事業所の各曜日毎の２４時間中の介護可能時間及び各単位時間での介護可能数を画面又は紙面に出力する請求項１記載のシステム。 
【請求項４】
スケジュール表示手段４０が、各曜日毎の、介護事業所の２４時間中の介護可能時間及び各単位時間での介護可能数を画面又は紙面に出力する請求項１記載のシステム。
【手続補正２】
【補正対象書類名】明細書
【補正対象項目名】００１７
【補正方法】変更
【補正の内容】
【００１７】
図５は午前０時から２４時までの時間帯を３０分毎のマス目で区分したもので、翌日に渡るスケジュールがわかりにくいので、図６では午前７時から翌日７時までの時間帯を３０分毎のマス目で区分し、夜勤者の勤務状態をわかりやすくするものである。
図５Ａの介護事業所のスケジュールを見ると、０：１０からの身体０の介護を必要とする者１名と、５：００からの身体０の介護を必要とする者、５：２０からの身体の介護を必要とする者の３件の介護サービスが用意されているが、時間差があるため、介護スタッフ１名で対応することができることを示している。８：００からは４名が身体１の介護サービスが提供される。ここで、デイの表示はデイサービスに出かける準備を意味し、デイ１名の補助を受けることを表示している。したがって、横列は介護サービスの提供可能な件数が表示され、介護スタッフが用意される。８：００から１８：００は昼間勤務のため多くの介護スタッフが用意でき、この介護可能枠として横枠が6列用意されていることがわかる。
【手続補正３】
【補正対象書類名】明細書
【補正対象項目名】００２０
【補正方法】変更
【補正の内容】
【００２０】
通常、介護サービスは１日２時間程度であって、３０分単位であり、前後２時間以内に介護のサービスが行われれば良いことが多いので、常に１人のスペースを予備に開けておいて５人枠であれば、１介護スタッフで２時間以内で３０分の介護サービスを４回行えるので、５人の介護スタッフでは２時間以内で４×５の２０サービスを行える。よって、標準介護利用者ではほぼ２０人の介護利用者に５人の介護スタッフで対応できる。しかしながら、介護度によっては１日で８回の介護サービスを、身体０から身体２、生活２から３と各種の介護サービスを受けるので、目視で空きスペースを見なければ適正な介護サービスを提供できないということになる。したがって、介護利用者に適切な介護予定を組むためにはケアマネにとっては、図７の週間介護スケジュールの空きスペースを示す画面が必要となる。